(57)【要約】【課題】雨水の跳ね上がりを減少させて落し口回転カバーの隙間から雨水が溢れ出てしまうことがない飾り桝の構造を提供することを目的とする。【解決手段】飾り桝４１は略矩形箱形状で、飾り桝４１の頂部４１ａの開口４１ｂと底部４１ｃの開口４１ｄに略Ｓ字形状の断面円形の導管４４が固着される。このとき、導管４４は開口４１ｂと開口４１ｄにおける中心位置が水平方向にＹの距離を隔てて配置される。導管４４の上端部はバルコニーや軒天４２の排水管４３に外嵌して接着剤等で固着されるが、必要に応じて飾り桝４１の頂部４１ａも接着剤等で軒天４２に固着される。導管４４の下部は底部４１ｃの開口４１ｄに固着されるとともに底部４１ｃからＹ１の長さで突出して雨水の落し口２が形成される。角形継手部材３の上端部３ａの外周部に一対の係止フック１３が突設され、係止フック１３が落し口回転カバー４に挿入されて係止される。【選択図】図１
2009052310.tif 000002
【特許請求の範囲】
【請求項１】
軒天の排水管から竪樋に雨水を導く飾り桝の構造であって、
この飾り桝の頂部に前記排水管に外嵌する排水管固着部と、飾り桝の底部に竪樋用の継手部材を固着する落し口が突出して成り、前記排水管固着部と前記落し口はそれぞれの中心位置が水平方向に隔てて配置され略Ｓ字形状の導管で連通固着されることを特徴とする飾り桝の構造。
【請求項２】
請求項１に記載の飾り桝の構造であって、前記継手部材は前記落し口に落し口回転カバーを介して固着され、前記落し口回転カバーは、内側円筒部とこの内側円筒部の外側に前記継手部材と相似断面形状をもつ外側筒部とがそれぞれ上部を連結バーで連結されて成る二重筒構造で、前記外側筒部の内周面にリング部材が立設され、このリング部材の内周端部は前記内側円筒部に沿って円環状の挿入隙間を形成するとともに前記リング部材の上面を抉って前記継手部材用の引掛凹部が形成され、前記継手部材の上端部に係止フックが突設され、前記継手部材の上端部を前記落し口回転カバーの下面に押付ける位置で前記係止フックが前記挿入隙間に挿入して前記引掛凹部と係合することを特徴とする飾り桝の構造。
【発明の詳細な説明】
【技術分野】
【０００１】
本発明は、軒天の排水管に固着される飾り桝の構造に関し、特に、飾り桝の底部の落し口に設けられる竪樋用の継手部材の固着領域から雨水が溢れ出ることを防止する技術に関する。
【背景技術】
【０００２】
従来、軒天の雨水を排水する軒天の排水管と継手部材の連結方法において、排水管と継手部材の径が異なる場合でも互いの連結が自在にできるように特許文献１の飾り桝を用いる構成が知られている。
【０００３】
特許文献１によれば、図６に示すように、竪樋用の飾り桝ａは鋼材又は合成樹脂材で逆台形の箱状に形成され、飾り桝本体５１の上面の開口部５２の周縁に鍔片５２ａを形成し、底面の雨水流出孔５３に竪樋接続部５４を連接する。前記竪樋用の飾り桝ａを排水管ｂの端末が位置するベランダの天井に取付けるため、前記天井位置に予め取付具５７を設置しておき、飾り桝本体５１の鍔片５２ａを取付具５７に引っ掛けて係止し、排水管ｂの端末を飾り桝本体５１の開口部に遊嵌させる。
【０００４】
飾り桝本体５１の竪樋接続部５４に竪樋ｃの先端を嵌着して連結するが、排水管ｂと竪樋ｃは垂直線上に設けられている。前記飾り桝ａによって住宅のベランダに降った雨水を排水管ｂから一旦飾り桝ａで受水し、受水した雨水を雨水流出孔５３から竪樋ｃに放水して地上の排水桝等に排水することができる。
【特許文献１】実開平５−６９２１８号公報
【発明の開示】
【発明が解決しようとする課題】
【０００５】
ところが、図７に示すように、飾り桝６２に竪樋６０の水平部材６０ａを固着するために角形継手部材６１を用いて、角形継手部材６１の上端部６１ａが飾り桝６２の落し口６３に装着する落し口回転カバー６４に固着される場合がある。この場合、角形継手部材６１の下端部６１ｃにおける水平部材６０ａの挿入位置決め用の段部６１ｄに雨水が衝突して跳ね上がり、落し口６３と落し口回転カバー６４の隙間から雨水が溢れ出てしまうという問題があった。
【０００６】
そこで、本発明はかかる従来技術の問題に鑑みなされたものであって、飾り桝本体における雨水の跳ね上がりを減少させて、落し口の継手部材の隙間から雨水が溢れ出てしまうことがない飾り桝の構造を提供することを目的とする。
【課題を解決するための手段】
【０００７】
請求項１の発明は、軒天の排水管から竪樋に雨水を導く飾り桝の構造であって、この飾り桝の頂部に前記排水管に外嵌する排水管固着部と、飾り桝の底部に竪樋用の継手部材を固着する落し口が突出して成り、前記排水管固着部と前記落し口はそれぞれの中心位置が水平方向に隔てて配置され略Ｓ字形状の導管で連通固着されることを特徴としている。
【０００８】
請求項２の発明は、前記継手部材は前記落し口に落し口回転カバーを介して固着され、前記落し口回転カバーは、内側円筒部とこの内側円筒部の外側に前記継手部材と相似断面形状をもつ外側筒部とがそれぞれ上部を連結バーで連結されて成る二重筒構造で、前記外側筒部の内周面にリング部材が立設され、このリング部材の内周端部は前記内側円筒部に沿って円環状の挿入隙間を形成するとともに前記リング部材の上面を抉って前記継手部材用の引掛凹部が形成され、前記継手部材の上端部に係止フックが突設され、前記継手部材の上端部を前記落し口回転カバーの下面に押付ける位置で前記係止フックが前記挿入隙間に挿入して前記引掛凹部と係合することを特徴としている。
【発明の効果】
【０００９】
請求項１記載の発明によれば、前記排水管固着部と前記落し口は略Ｓ字形状で連通固着されるので、雨水は自由落下ではなく略Ｓ字形状の導管に沿って流れるため、前記落し口に連結される前記継手部材における雨水の衝撃が減少するので、雨水の跳ね上がりが減少し前記落し口の継手部材から雨水が溢れ出ることがなくなる。
【００１０】
請求項２記載の発明によれば、前記継手部材が固着される前記落し口回転カバーは、内側円筒部と外側筒部とがそれぞれ上部を連結バーで連結されて成る二重筒構造で、前記外側筒部の内周面にリング部材が立設され、このリング部材の内周端部は前記内側円筒部に沿って円環状の挿入隙間が形成される構成であるが、請求項１に記載の効果と同様の効果によって落し口回転カバーの隙間から雨水が溢れ出ることがなくなる。
【発明を実施するための最良の形態】
【００１１】
＜飾り桝の構造の構成＞
本発明の実施形態を〜図５に基づいて説明する。図１、図２に示すように、飾り桝４１は略矩形箱形状で、飾り桝４１の頂部４１ａの開口４１ｂと底部４１ｃの開口４１ｄに略Ｓ字形状の断面円形の導管４４が固着される。導管４４は開口４１ｂと開口４１ｄにおける中心位置が水平方向にＹの距離を隔てて配置される。
【００１２】
導管４４の上端部は軒天４２の排水管４３に外嵌して接着剤等で固着されるが、必要に応じて飾り桝４１の頂部４１ａも接着剤等で軒天４２に固着される。導管４４の下部は底部４１ｃに固着されるとともに底部４１ｃからＹ１の長さで突出して雨水の落し口２が形成され、落し口２の外周面に嵌合凹部２１を備える。
【００１３】
この落し口２に竪樋用の連結用の略９０度の角形継手部材３を装着するための落し口回転カバー４が装着され、角形継手部材３の上端部３ａの外周部に突設される一対の係止フック１３が矢印Ｐに示すように落し口回転カバー４に挿入して係止される。
【００１４】
このため、雨水Ｗは排水管４３から飾り桝４１の略Ｓ字形状の導管４４と角形継手部材３を介して図示しない竪樋にスムーズに排水される。
【００１５】
図３（ａ）、（ｂ）に示すように、落し口回転カバー４は、内側円筒部６とこの内側円筒部６の外側に角形継手部材３と相似断面形状をもつ外側角筒部５とがそれぞれ上部を連結バー９で連結されて成る二重筒構造である。外側角筒部５は四側面２２と四隅側面２３から成る八角形状であり、連結バー９は下面９ａが同一水平面となるように外側角筒部５の各隅側面２３に配置される。
【００１６】
外側角筒部５の内周面にリング部材７が立設され、このリング部材７の内周縁７ａと内側円筒部６との間に円環状の挿入隙間８が形成される。
【００１７】
外側角筒部５の対向する一対の隅側面２３に面するリング部材７には、挿入隙間８と連続する凹状のリブ挿通孔１０が形成される。この一対のリブ挿通孔１０は連結バー９の下方位置に一致して配置される。
【００１８】
リング部材７の内周縁７ａには、リング部材７の上面７ｂを抉って引掛凹部１１が外側角筒部５の四側面２２の内側中央寄りに形成され、このうちの一対の対向する引掛凹部１１に角形継手部材３の一対の係止フック１３が係止される。そして、外側角筒部５の各側面２２の内面に角形継手部材３を挿入案内するガイド片３０が二組毎突設される。
【００１９】
図４（ａ）、（ｂ）、（ｃ）に示すように、飾り桝４１の導管４４の落し口２に落し口回転カバー４を取付ける場合には、落し口２に内側円筒部６を嵌め込んで落し口回転カバー４を回転させることにより、内側円筒部６に設けられた内周面の嵌合凸部２０が落し口２の外周面の嵌合凹部２１に凹凸嵌合して取付けることができる。
【００２０】
そして、図５に示すように、角形継手部材３の上端部３ａを落し口回転カバー４の内側円筒部６の下面に押付けることで、角形継手部材３の一対の係止フック１３が挿入隙間８に挿入してリング部材７の引掛凹部１１に係止することができる。
【００２１】
ここで、上記、外側角筒部５に角形継手部材３を挿入案内するガイド片３０が外側角筒部５の各側面２２に二組突設されるので、角形継手部材３の係止フック１３を引掛凹部１１の位置まで容易且つ確実にガイドできる。
【００２２】
飾り桝４１と角形継手部材３の材質は、軽量化や耐腐食性を考慮して硬質塩化ビニール樹脂等の合成樹脂、或いは耐腐食性金属としてステンレス、銅等が用いられる。また、金属性芯材の周囲に樹脂を被覆した構成でもよい。
＜飾り桝の構造の作用＞
【００２３】
飾り桝４１の頂部４１ａの開口４１ｂと底部４１ｃの開口４１ｄに略Ｓ字形状の断面円形の導管４４が固着され、導管４４は開口４１ｂと開口４１ｄにおける中心位置が水平方向にＹの距離を隔てて配置されるので、雨水は軒天の排水管から自由落下ではなく滑らかなカーブを描く略Ｓ字形状の導管によって排水の勢いを弱め且つ層流にして流すことができる。
【００２４】
このため、角形継手部材３に対する雨水の衝撃が減少するので雨水の跳ね上がりが減少し、落し口回転カバー４と角形継手部材３の隙間から雨水が溢れ出ることがなくなるので品質性が向上する。また、略Ｓ字形状の導管４４は略矩形箱形状の飾り桝４１で覆われているので眼に触れないため意匠性に優れる。
【００２５】
飾り桝４１に導管４４を使用せず飾り桝４１自体に軒天の排水管４３と角形継手部材３を直接連結する場合には飾り桝４１の内部にゴミや砂が溜まって雨水の流れが悪くなり水漏れが発生しやすいが、略Ｓ字形状の導管４４を用いることで雨水の流れが半永久的に良好に保持できるのでゴミや砂の溜まりによる水漏れの発生を防止できる。
【００２６】
なお、角形継手部材の代わりに丸形継手部材を落し口回転カバー４へ係止することもできる。この場合、丸形継手部材をリング部材７の挿入隙間８に挿入して回転し、丸形継手部材に備える図示しない突起リブがリング部材７の上面７ｂに乗り上がることにより係止される。
【図面の簡単な説明】
【００２７】
【図１】本発明の実施形態における、飾り桝４１内に略Ｓ字形状の導管４４が固着され、導管４４の上部が軒天４２の排水管４３に固着され、導管４４の下部の落し口２に角形継手部材３が連結された状態を示す断面図である。
【図２】本発明の実施形態における、飾り桝４１の導管４４と角形継手部材３の分解斜視図である。
【図３】本発明の実施形態における、（ａ）は図１のＡ−Ａ斜視図、（ｂ）は図１のＢ−Ｂ斜視図である。
【図４】本発明の実施形態における、（ａ）は飾り桝４１の落し口２に落し口回転カバー４を取付ける前の状態を示す斜視図、（ｂ）は落し口２に落し口回転カバー４の取付ける直前の状態を示す断面図、（ｃ）は落し口２に落し口回転カバー４を取付けた状態を示す断面図である。
【図５】本発明の実施形態における、落し口回転カバー４に角形継手部材３を装着した状態を示す一部断面斜視図である。
【図６】従来の飾り桝ａの状態を示す側面断面図である。
【図７】従来の他の飾り桝６２の落し口６３に落し口回転カバー６４を介して角形継手部材６１を装着する状態を示す側面図である。
【符号の説明】
【００２８】
２  落し口
３  角形継手部材
３ａ  上端部
４  落し口回転カバー
１３  係止フック
４１  飾り桝
４１ａ  頂部
４１ｂ  挿入口
４１ｃ  底部
４１ｄ  挿入口
４４  導管
【図１】
2009052310.tif 000003
【図２】
2009052310.tif 000004
【図３】
2009052310.tif 000005
【図４】
2009052310.tif 000006
【図５】
2009052310.tif 000007
【図６】
2009052310.tif 000008
【図７】
2009052310.tif 000009